(57)【要約】  【課題】  調光制御データの確認と修正を照明装置を点灯させることなく実行できる調光制御装置を提供する。  【解決手段】  光源ランプからの照明光の色光に変換するカラーチェンジャー有する照明装置の照明チャンネル毎に調光と色光制御とを行う調光主制御部１２による調光データを照明シーン単位に設定入力し、その入力された照明シーン単位の各照明チャンネルの調光データを記憶する記憶媒体１６に記憶させ、その調光データによる照明装置を点灯駆動することなく、記憶媒体に記憶されている調光データを照明シーンの移行時の調光レベルが零で、色光が変更される照明シーンの照明チャンネルを検出し、その色光データを書換変更すると共に、色走りさせる照明チャンネルを表示させる調光制御装置。  【選択図】  図１
2005353474.tif 000002
【特許請求の範囲】
【請求項１】
光源ランプと、その光源ランプからの光を複数の色光に変換するカラーチェンジャーを備えた照明装置が配置され、その照明装置の調光レベルと色光を可変できるように構成された複数の照明チャンネルと；
この複数の照明チャンネル毎の照明装置の調光レベルと、カラーチェンジャーによる色光を設定する調光主制御手段と；
この調光主制御手段により前記照明チャンネルの照明装置の制御を行うために調光レベルと色光のデータを照明シーン単位で設定入力できるように構成された調光入力手段と；
この調光入力手段から入力された照明シーン単位の各照明チャンネルの調光レベルと色光のデータを記憶媒体に記憶させる調光データ記憶手段と；
この調光データ記憶手段に記憶されている調光レベルと色光のデータを基に、照明シーン単位の各照明チャンネルの調光レベルと色光状態を表示する調光表示手段と；
前記調光データ記憶手段に記憶されている調光レベルと色光のデータを基に、照明シーンの移行時に、照明光が出力されている状態で、色光が変更される照明シーンが存在した時に、その照明チャンネルを検出し、前記調光表示手段に表示されている調光状態表示の該当照明シーンの照明チャンネルに色光変更を示す表示を行う色光変更検出手段と；
を具備したことを特徴とする調光制御装置。
【請求項２】
前記色光変更検出手段は、前記調光データ記憶手段に記憶されている調光レベルと色光のデータを基に、照明シーンの移行時に、照明光が出力されない状態で、色光が変更される照明シーンの照明チャンネルを検出し、その色光変更がされないように前記調光データ記憶手段に記憶されている該当照明シーンの照明チャンネルの色光データを修正し、その修正後の色光データを用いて前記調光表示手段に調光状態表示をさせることを特徴とした請求項１に記載の調光制御装置。
【発明の詳細な説明】
【技術分野】
【０００１】
本発明は、舞台やスタジオフロア等の照明装置を照明シーンに応じて、調光レベルや色光を操作制御する調光制御装置に関する。
【背景技術】
【０００２】
従来、舞台やスタジオフロア等の照明装置は、照明シーンに応じて照明の調光レベルや色光を調光制御装置により操作制御されている。この調光制御装置は、調光操作卓、調光器、及び光源ランプから構成され、調光操作卓から調光制御する照明チャンネルの光源ランプの調光レベルを入力設定し、その入力された調光レベルを基に調光器が各照明チャンネルの光源ランプの調光制御を行っている。
【０００３】
この調光制御装置において、調光操作卓から照明シーン単位で各照明チャンネル毎に調光レベルをオペレータが入力設定する必要があり、照明シーンが代わる都度各照明チャンネル毎の調光レベルを個別にオペレータが入力設定する繁雑な作業が強いられていた。
【０００４】
この複数の照明チャンネルの調光レベルを設定する際に、調光レベルを上げる操作と下げる操作を同時に行えるようにした調光制御装置が、例えば、特許文献１に提案されている。
【０００５】
この特許文献１に提案されている調光制御装置は、複数の照明チャンネルの調光レベルを設定する場合、現在の明るさから調光レベルを上げるチャンネルと、調光レベルを下げるチャンネルとを選択し、同時に上昇及び下降の調光レベルの修正を行う。あるいはチャンネル選択を行う代わりに、現在の明るさが予め設定された識別レベル以下のチャンネルは調光レベルを上げるチャンネルとし、予め設定された識別レベル以上のチャンネルは調光レベルを下げるチャンネルとして選択する操作手段を備えたものである。
【特許文献１】特開平８−５５６８３号公報
【発明の開示】
【発明が解決しようとする課題】
【０００６】
上述した特許文献１に提案されている調光制御装置は、現在の明るさから調光レベルを上昇及び下降させるチャンネルを選択し、同時に調光レベル修正することで調光レベルの操作作業を軽減されると共に、演出効果を損なわない操作が実現できる。
【０００７】
この調光制御装置は、演出されるシーンの進行状況に応じて調光操作卓から複数の照明チャンネルの調光レベルを設定入力する操作の煩雑性とチャンネル選択の判別ミスは解消される。
【０００８】
このような調光制御装置は、演出される照明シーンに応じた各照明チャンネルの調光レベルを事前に設定し、その事前に設定された照明シーン単位の各チャンネルの調光レベルを確認チェックする際には、実際に設定された照明シーン単位毎に各チャンネルの調光レベルで照明装置を実際に点灯させて確認している。このために、照明シーン単位の各チャンネルの調光レベル、または色光の設定の確認作業は、複数の作業員と多くの時間を要する煩雑な作業を強いられている。
【０００９】
このために、照明シーンに応じた照明チャンネル毎の調光レベルと照明の色替えのデータを事前設定し、その事前設定された調光レベルと色替えの調光データの確認作業を実際に照明チャンネル毎の照明装置を点灯させずに実行でき、かつ、事前設定された調光データの修正が容易な調光制御装置が望まれている。
【００１０】
本発明は、このような事情に鑑みてなされたもので、事前設定された調光データの確認と修正を照明装置を点灯させることなく実行できる調光制御装置を提供することを目的としている。
【課題を解決するための手段】
【００１１】
請求項１の発明の調光制御装置は、光源ランプと、その光源ランプからの光を複数の色光に変換するカラーチェンジャーを備えた照明装置が配置され、その照明装置の調光レベルと色光を可変できるように構成された複数の照明チャンネルと；この複数の照明チャンネル毎の照明装置の調光レベルと、カラーチェンジャーによる色光を設定する調光主制御手段と；この調光主制御手段により前記照明チャンネルの照明装置の制御を行うために調光レベルと色光のデータを照明シーン単位で設定入力できるように構成された調光入力手段と；この調光入力手段から入力された照明シーン単位の各照明チャンネルの調光レベルと色光のデータを記憶媒体に記憶させる調光データ記憶手段と；この調光データ記憶手段に記憶されている調光レベルと色光のデータを基に、照明シーン単位の各照明チャンネルの調光レベルと色光状態を表示する調光表示手段と；前記調光データ記憶手段に記憶されている調光レベルと色光のデータを基に、照明シーンの移行時に、照明光が出力されている状態で、色光が変更される照明シーンが存在した時に、その照明チャンネルを検出し、前記調光表示手段に表示されている調光状態表示の該当照明シーンの照明チャンネルに色光変更を示す表示を行う色光変更検出手段と；を具備したことを特徴とする。
【００１２】
また、請求項２の発明の調光制御装置は、請求項１に記載の調光制御装置において、前記色光変更検出手段は、前記調光データ記憶手段に記憶されている調光レベルと色光のデータを基に、照明シーンの移行時に、照明光が出力されない状態で、色光が変更される照明シーンの照明チャンネルを検出し、その色光変更がされないように前記調光データ記憶手段に記憶されている該当照明シーンの照明チャンネルの色光データを修正し、その修正後の色光データを用いて前記調光表示手段に調光状態表示をさせることを特徴としている。
【００１３】
本発明において用語の定義及び技術的意味は次による。
【００１４】
光源ランプは、白熱電球、ハロゲン電球、蛍光ランプ、及びメタルハライドランプ等の舞台やスタジオフロアで行われる各種催しもの進行と同時進行で演出照明光が放射され、高出力、高輝度、演色性に優れ、かつ、点灯回路が簡便で即時点滅と円滑な調光が可能なものである。
【００１５】
カラーチェンジャーは、光源ランプから放射された演色性に優れた白色光に任意の色フィルタをかけて任意の色光を生成するものであり、例えば、プラスチックフィルタに多種類の色が染色されており、このフィルタの色を選択することで任意の色光を変換生成する。
【００１６】
照明装置は、前述した光源ランプが内蔵され、その光源ランプからの光を所定の指向範囲に放射させると共に、前面にカラーチェンジャー等を有する器具である。この照明装置は、光の指向範囲が広く、柔らかで、均等な照明ができるフラッドライト、光を反射鏡により前方に集め、レンズを通して局部照明を遠方から行い、集光されたビーム光の幅を自由に調整できるスポットライト、及び雨、雪、雲、波、炎等の諸現象の投影や動く模様の背景の投射などに用いられる効果照明器具などである。
【００１７】
照明チャンネルは、舞台やスタジオフロアの所定の位置に配置され、所定の位置を照明する照明装置で、かつ、その照明装置の調光レベルと色光を同一条件で同時に制御する調光制御単位である。
【００１８】
調光主制御手段は、照明チャンネル単位の光源ランプの点灯／消灯と調光レベルを制御する調光器の制御信号と、カラーチェンジャーの色フィルタを選択制御する制御信号とからなる調光信号を生成する調光主制御部である。この調光主制御部は、各照明チャンネルに対応したスイッチ、及び調光レベルを設定するフェーダ、あるいは、各照明チャンネルと調光レベルを入力するテンキーなどを有する操作パネルから入力された調光制御情報を検出するパネル制御部である調光入力手段が接続されている。
【００１９】
つまり、調光主制御手段は、この調光入力手段であるパネル制御部から入力された照明シーンに応じた照明チャンネル毎の調光レベルと色光の操作入力に応じて、調光器とカラーチェンジャーを駆動制御させる信号を生成して照明装置の調光レベルとカラーチェンジャーの色フィルタ選択制御を行う。
【００２０】
この調光主制御手段には、調光入力手段から入力された照明シーンに応じた各照明チャンネルの調光レベルと色光のデータを記憶する調光データ記憶手段である記憶媒体を有している。この記憶媒体は、調光主制御手段に内蔵された書込読み出しが可能な、例えば、ハードディスク、フレキシブルディスク、半導体メモリ等である。
【００２１】
調光表示手段は、照明シーン単位の各照明チャンネルの調光レベルと色光のデータを文字図形として表示させるブラウン管、あるいは、液晶パネル等からなるディスプレイである。このディスプレイに表示される照明シーン単位の各照明チャンネルの調光レベルと色光のデータにより、各照明チャンネルの照明装置を点灯させることなく調光レベルと色光が認識可能としている。
【００２２】
また、調光主制御手段には、調光データ記憶手段に記憶されている照明シーン単位の照明チャンネルの調光レベルと色光のデータから照明シーンが移行した際に、照明光が出力された状態で、色光が変更される色光データを検出し、その設定入力データを検出すると、その照明チャンネルに色光が変更されている表示を調光表示手段に行う色光変更検出手段を有している。
【００２３】
更に、この色光変更検出手段は、照明シーンが移行した際に、照明光が出力されない消灯状態で色光が変更される色光データを検出すると、消灯状態への移行時の色光変更は誤りであると判定して、照明シーンの移行前の色光データに調光データ記憶手段の色光データを修正させて、調光表示手段に変更後の調光レベルと色光を表示させる。
【発明の効果】
【００２４】
本発明の調光制御装置は、照明シーン単位毎に入力設定された各照明チャンネルの調光レベルと色光のデータをディスプレイに文字図形として表示させるために、照明シーン単位の各照明チャンネルの照明装置を実際に点灯調光させることなく、照明シーン単位の照明チャンネルの入力設定状態が容易に確認できる。特に、照明光の出力が停止された消灯状態での不要な色光変更を自動修正できると共に、照明光を出力されている状態で色光変更する照明シーンの確認と容易なることから、調光制御データの修正と確認の効率が大きく改善できる効果を有している。
【発明を実施するための最良の形態】
【００２５】
以下、図面を参照して本発明の実施の形態について詳細に説明する。
【実施例１】
【００２６】
本発明の調光制御装置の一実施形態の構成について、図１を用いて説明する。舞台やスタジオフロアを見通せる位置に設けられた照明調光室内に設けられた調光操作卓１１と、この調光操作卓１１において生成された調光信号１７により舞台やスタジオフロアを照明する光源ランプ２２を調光動作を制御する調光盤２１と、光源ランプ２２から照射された照明光の色光を調光信号１７により設定するカラーチェンジャー２３から構成されている。
【００２７】
調光操作卓１１は、照明シーン単位で、光源ランプ２２の点灯／消灯である出力制御と照明光の明るさである調光レベル、並びに、色光を設定する複数のスイッチやフェーダが配置された図示していない操作パネルを制御すると共に、操作入力されたスイッチやフェーダの状態を検出するパネル制御部１３と、このパネル制御部１３により検出された操作パネルのスイッチやフェーダの状態から照明シーン単位の調光データの作成／編集処理、その調光データ記憶保存処理、その調光データによる照明シーンの再生処理、及び調光レベルの演算処理等を行い調光と色光制御の調光信号１７を生成する調光主制御部１２、この調光主制御部１２の調光データ作成／編集処理で生成された照明シーン単位の調光レベルと色光のデータを記憶する記憶媒体１６、及びパネル制御部１３から操作入力された照明シーン単位の調光レベルと色光のデータ、及び記憶媒体１６に記憶されている照明シーン単位の調光レベルと色光のデータを文字図形等でディスプレイ１５に表示させる画面制御部１４とから構成されている。
【００２８】
調光盤２１は、調光主制御部１２からの調光信号１７により、光源ランプ２２の点灯／消灯及び調光レベル等の調光駆動を制御するものである。なお、図１では、調光盤２１に１つの光源ランプ２２が接続されている状態が示されているが、この調光盤２１には調光駆動制御される複数の光源ランプ２２が接続されている。更に、この調光盤２１は、個々の光源ランプ２２を調光駆動制御するのではなく、同一の調光駆動条件の基で調光駆動される単一または複数の照明ランプを有する照明チャンネル単位で調光駆動制御するものである。従って、図１の光源ランプ２２は、同一調光駆動条件で調光駆動制御される１つの照明チャンネルと見なすことができる。
【００２９】
カラーチェンジャー２３は、光源ランプ２２の前面に設けられ、フィルム状のシートに複数の色が染色された色フィルタと、この色フィルタを摺動させて所定の色フィルタを選択する摺動駆動機能からなり、調光主制御部１２からの調光信号１７により色フィルタの摺動駆動と色フィルタの選択が行われ、その選択された色フィルタを光源ランプ２２からの光を透過させることで、その色フィルタの色の光に変換するものである。なお、このカラーチェンジャー２３は、光源ランプ２２の調光調整する単位の照明チャンネルの調光駆動と連動して色フィルタの選択駆動が行われる。但し、全ての光源ランプ２２、または照明チャンネルにカラーチェンジャー２３が設けられているとは限らず、カラーチェンジャー２３を設けていない光源ランプ２２，または照明チャンネルも存在する。
【００３０】
このような構成の調光制御装置による光源ランプ２２とカラーチェンジャー２３を有する照明チャンネル毎の調光と色光制御の動作について、図２と図３を用いて説明する。
【００３１】
最初に、調光操作卓１１により舞台やスタジオフロアにおいて演じられるシーンに応じた照明シーン単位の調光と色光制御のデータの入力について説明する。この調光と色光制御の操作入力として、図３に示すように、演出される照明シーン単位毎に、照明チャンネル１〜３（図中ＣＨ１，ＣＨ２，ＣＨ３と表記））の調光レベル、即ち光源ランプ２２のランプレベルと、その照明チャンネルのカラーチェンジャー２３により選択される色光を例として説明する。なお、ランプレベルは、照明チャンネルの各光源ランプ２２の明るさ状態を示しており、最も明るい最大出力を１００とし、最も暗い消灯状態の最小出力を０としている。
【００３２】
調光操作卓１１のパネル制御部１３により駆動制御されている操作パネルのスイッチやフェーダを用いて、演出される照明シーン単位毎に照明チャンネルＣＨ１〜３のランプレベルと色光を入力する。この入力されたＣＨ１〜３のランプレベルと色光の情報は、パネル制御部１３により検出されて調光主制御部１２に転送される。調光主制御部１２は、転送されたランプレベルと色光の情報を基に、図３（ａ）に示すように、照明シーン１のＣＨ１〜３のランプレベル／色光を示す調光データを生成して、記憶媒体１６に記憶させると共に、画面制御部１４を介して、ディスプレイ１５に照明シーン単位で各ＣＨ１〜３の調光データを文字図形形式で表示させる。
【００３３】
つまり、図３（ａ）に示す調光データは、照明シーン１において、ＣＨ１はランプレベル５０の青色光照射、ＣＨ２はランプレベル６０の赤色光照射、及びＣＨ３はランプレベル６０の黄色光照射が設定され、その設定状態がディスプレイ１５に表示される。照明シーン２では、ＣＨ１はランプレベル０の赤色光照射、ＣＨ２はランプレベル３０の緑色光照射、ＣＨ３はランプレベル５０の黄色光照射が設定され、同様にシーン３移行も設定されて、その設定状態がディスプレイ１５に表示される。
【００３４】
このような照明シーン１と照明シーン２の各ＣＨのランプレベルと色光の設定により、ＣＨ１は照明シーン１ではランプレベル５０の青色光照射がされており、照明シーン２では、ランプレベル０の赤色光照射へと移行される入力設定がされたことになる。つまり、ＣＨ１は、照明シーン２ではランプレベル０、即ちランプ出力が０の消灯状態であるにも係わらず、色光が青から赤に変更される。
【００３５】
ＣＨ２では、照明シーン１のランプレベル６０の赤色光照射から、照明シーン２でランプレベル３０の緑色光照射へと移行される入力設定されたことになる。つまり、照明シーン２では、ランプレベルが半分に減量されると共に、色光が赤から緑に変更される。即ち、カラーチェンジャー２３の色フィルタを赤色から緑色に移動させることになり、この色フィルタの移動の間にランプレベルは６０から３０に減少されるが、照明光は照射されるため、色フィルタの赤色と緑色の間に設けられている他の色の光が照射される、所謂色走り照明が行われる。
【００３６】
ＣＨ３では、照明シーン１のランプレベル６０の黄色光照射から、照明シーン２でランプレベル５０の黄色光照射へと移行されることになる。つまり、照明シーン２では、色光に変化なく、ランプレベルが多少減少される。
【００３７】
このように、照明シーン単位に各照明チャンネルのランプレベルと色光を入力し、そのランプレベルと色光のデータによる各照明シーンの状態で良いか判定する場合、従来は、この入力設定された照明シーン単位のランプレベルと色光のデータを用いて、各照明チャンネルＣＨ１〜３を実際に点灯駆動させて、例えば、ＣＨ１の照明シーン２への移行時にランプレベルを０した時に、色光を赤に変更する不必要な色光変更を発見修正したり、また、ＣＨ２の照明シーン１から照明シーン２の移行時の色走り照明の良否を判定していた。このために、前述したように複数の作業員により多くの時間を要する煩雑な作業が強いられている。
【００３８】
そこで、本発明の調光制御装置は、図３（ａ）に示すような調光操作のデータ入力が行われて記憶媒体１６に記憶された調光と色光制御のランプレベルと色光のデータの修正及び確認処理について、図２と図３（ｂ）を用いて説明する。
【００３９】
本発明の調光制御装置は、調光操作卓１１のパネル制御部１３で検出して、調光主制御部１２によってランプレベルと色光のデータに変換して記憶媒体１６に記憶されている図３（ａ）に示す照明シーン単位の各照明チャンネルのランプレベルと色光のデータを基に、調光主制御部１２は、データ作成／編集処理によりランプレベルと色光のデータの図２に示す編集処理を行う。
【００４０】
この編集処理は、記憶媒体１６に記憶されている照明シーン単位の各照明チャンネルのランプレベルと色光の調光データの確認編集を行う。
【００４１】
ステップＳ１において、Ｎシーンのｎチャンネルの調光データを記憶媒体１６から読み出す、このＮシーンとｎチャンネルのＮとｎにそれぞれ１に置き換えて、照明シーン１のＣＨ１の調光データを読み出し、次に、すてっぷＳ２において、その照明シーン１のＣＨ１の調光データの色光のデータは色変化させるデータか判定する。照明シーン１は、演出された最初の照明シーンであり、初期色光であるために、ステップＳ６以降の処理に移行する。ステップＳ６では、ｎチャンネルに１を加算した照明シーン１のＣＨ２とし、ステップＳ７において、その照明シーン１のＣＨ２は、全照明シーンと全チャンネル数であるか判定する。この照明シーン１のＣＨ２は、全照明シーンと全照明チャンネル数ではないために、ステップＳ１に戻り、照明シーン１のＣＨ２の調光データを読み出す。このようにして、照明シーン１のＣＨ１〜３の調光データの確認処理後、照明シーン２のＣＨの調光データがステップＳ１において読み出され、ステップＳ２において、その読み出した照明シーン２のＣＨの調光データのうち、色光のデータは、照明シーン１の色光から変化をしているか判定する。
【００４２】
このステップＳ２の判定の結果、色光に変化がない場合、具体的には、照明シーン２のＣＨ３の場合は、色光変化がないと判定されて、ステップＳ６以降の処理が行われる。このステップＳ２おいて、色光変更があると判定された場合、具体的には、照明シーン２のＣＨ１とＣＨ２の場合、ステップＳ３において、その色光変更されたＣＨ１、またはＣＨ２は、ランプレベルが０であるか判定する。このステップＳ３の判定において、照明シーン２のＣＨ１は、ランプレベルが０であることから、ステップＳ４において、ＣＨ１のランプレベル０であることから色光の変更を行う必要がなく、この照明シーン２のＣＨ１の色光データは誤りと判断できるために、記憶媒体１６に記憶されている照明シーン２の前の照明シーン１（Ｎ−１）の色光データである照明シーン１のＣＨ１と同じ色光データに書換修正を行うと共に、画面制御部１４を介して、ディスプレイ１５に図３（ｂ）に示すように、書換修正した編集後の調光状態表示を行う。
【００４３】
ステップＳ３において、ランプレベルが零（０）ではないと判定されると、具体的には、照明シーン２のＣＨ２の場合は、照明シーン１から照明シーン２への移行の際に色走りが行われると判定されて、ステップＳ５において、画面制御部１４を介して、ディスプレイ１５に図３（ｂ）に示すように、調光状態表示の照明シーン２のＣＨ２の調光データに色走りを示す表示、例えば、照明シーン２のＣＨ２を示す枠の太さや色彩を変えるとか、色走りを示す符号を併設表示させたり、あるいは、調光データを点滅表示させるなどを行う。これにより照明シーン２のＣＨ２は色走りさせるための色光変更データが設定されることが表示される。
【００４４】
ステップＳ４，またはステップＳ５の処理が終了すると、ステップＳ６において、ステップＳ１〜Ｓ５の間での処理を行った照明シーンＮ、または照明チャンネルｎの何れかに１を加算する。具体的には、照明シーン２のＣＨ１の編集が終了するとＣＨ１に１を加算した照明シーン２のＣＨ２とする。このステップＳ６おいて、照明シーンＮと照明チャンネルｎに１を加算した照明シーンＮと照明チャンネルｎが記憶媒体１６に記憶されている全ての照明シーンの全ての照明チャンネルの数と同じ、つまり、全照明シーンの全照明チャンネルの確認編集が終了したかステップＳ７において判定される。
【００４５】
つまり、ステップＳ６において、照明シーン２のＣＨ１に１が加算された照明シーン２のＣＨ２は、ステップＳ７において、全照明シーンと全照明チャンネルでないと判定されて、その照明シーン２のＣＨ２のステップＳ１〜Ｓ５の確認処理が行われる。
【００４６】
このステップＳ７の判定の結果、全照明シーンの全照明チャンネルの確認編集が終了した判定されると、ステップＳ８において、ディスプレイ１５に表示されている図３（ｂ）に示す、確認編集後の調光状態表示の調光データのうち、色走りが行われることを示す表示が行われている照明シーンの照明チャンネルの調光データは、操作パネルから入力したデータと同じであるかオペレータが確認し、操作パネルから入力した内容と同じであるとオペレータが判定すると操作パネルに設けられている確認スイッチにより確認入力を行い、もし、入力データの誤りである場合は、再度操作パネルから該当照明シーンの照明チャンネルの調光データの修正入力を行う。なお、ステップＳ８によるオペレータの判定を省略しても良い。
【００４７】
以上説明したように、本発明の調光制御装置の調光主制御部１２は、操作パネルから入力され、パネル制御部１３が検出した調光データを基に照明シーン単位毎の各照明チャンネルの調光データを生成して、記憶媒体１６に記憶させると共に、その記憶媒体１６に記憶されている調光データを読み出してディスプレイ１５に照明シーン単位毎の照明チャンネルの調光データを表示させる際に、照明シーンが変更されて光源ランプ２２から照明光が出力されない状態での色光変更が行われる入力設定は、色光変更しない色光データに自動的に書換修正して記憶媒体１６に記憶させると共に、ディスプレイ１５には、書換修正後の調光データを表示させ、更に、照明シーンが変更時に色走りが行われる色光データの場合は、その色走りを示す表示をディスプレイ１５に併設表示させることにより、オペレータに色走り照明される照明シーンの照明チャンネルの認識を行わせると共に、その色走り色光データの確認と修正を促すことができる。
【００４８】
この結果、光源ランプ２２とカラーチェンジャー２３を調光データに基で実際に駆動させることなく、ディスプレイ１５に表示される照明シーン単位の各照明チャンネルの調光データのみで、色光変更と色走りの確認修正が可能となり、少人数の作業員により短時間で確実に調光データの確認編集が可能となる。
【図面の簡単な説明】
【００４９】
【図１】本発明の調光制御装置の一実施形態の構成を示すブロック図。
【図２】本発明の調光制御装置の一実施形態の調光データ確認編集の処理動作を説明するフローチャート。
【図３】本発明の調光制御装置の一実施形態における調光データを示し、図３（ａ）は、調光データ入力後の編集前データ例を示す説明図、図３（ｂ）は、調光データの確認修正済みの編集後データ例を示す説明図。
【符号の説明】
【００５０】
１１  調光操作卓、１２  調光主制御部、  １３  パネル制御部、１４  画面制御部、１５  ディスプレイ、１６  記憶媒体、１７  調光信号、２１  調光盤、２２  光源ランプ、２３  カラーチェンジャー。  
代理人  弁理士  伊藤  進
【図１】
2005353474.tif 000003
【図２】
2005353474.tif 000004
【図３】
2005353474.tif 000005